(57)【要約】【課題】  紙幣のバッチ回収処理時における係員の負荷を軽減する。【解決手段】  本発明の紙幣処理装置は、それぞれ所定の金種の紙幣を収納し、収納紙幣を搬出する複数のスタッカ部と、搬入された紙幣を順次集積して回収する紙幣回収部と、各前記スタッカ部から前記紙幣回収部へ紙幣を搬送する紙幣搬送路と、第１金種の紙幣を収納する前記スタッカ部から所定枚数の第１金種の紙幣を搬出して前記紙幣搬送路を搬送し前記紙幣回収部に回収する第１金種回収処理を複数回実行する制御を行う制御部であって、前記第１金種回収処理同士の間に、前記第１金種と異なる第２金種の紙幣を収納する前記スタッカ部から前記第２金種の紙幣を搬出して前記紙幣回収部に回収する第２金種回収処理を実行する制御を行う制御部と、を備える。【選択図】  図４
2005242695.tif 000002
【特許請求の範囲】
【請求項１】
それぞれ所定の金種の紙幣を収納し、収納紙幣を搬出する複数のスタッカ部と、
搬入された紙幣を順次集積して回収する紙幣回収部と、
各前記スタッカ部から前記紙幣回収部へ紙幣を搬送する紙幣搬送路と、
第１金種の紙幣を収納する前記スタッカ部から所定枚数の第１金種の紙幣を搬出して前記紙幣搬送路を搬送し前記紙幣回収部に回収する第１金種回収処理を複数回実行する制御を行う制御部であって、前記第１金種回収処理同士の間に、前記第１金種と異なる第２金種の紙幣を収納する前記スタッカ部から前記第２金種の紙幣を搬出して前記紙幣回収部に回収する第２金種回収処理を実行する制御を行う制御部と、
を備えた紙幣処理装置。
【請求項２】
前記制御部は、前記スタッカ部の収納在高枚数の最も多い金種を前記第１金種として決定することを特徴とする請求項１に記載の紙幣処理装置。
【請求項３】
前記制御部は、前記第１金種回収処理の実行回数と、前記第２金種の紙幣の収納枚数とに基づいて、前記第２金種回収処理において回収する前記第２金種の紙幣の枚数を決定することを特徴とする請求項１又は２に記載の紙幣処理装置。
【請求項４】
前記第１金種に関する情報と、前記紙幣回収部に回収された前記第１金種の紙幣の枚数及び前記第２金種回収処理の実行回数の少なくとも一方とを、表示、印字または外部に送信する出力部をさらに備えたことを特徴とする請求項１乃至３のいずれかに記載の紙幣処理装置。
【発明の詳細な説明】
【技術分野】
【０００１】
本発明は、紙幣を入出金処理する紙幣処理装置に関し、特に、紙幣収納部に収納された紙幣を回収する紙幣回収処理を行うことができる紙幣処理装置に関する。
【背景技術】
【０００２】
従来から、紙幣処理装置においては、紙幣を収納したスタッカ部（紙幣収納部）から所定枚数（例えば１００枚）単位で紙幣を紙幣回収部に回収するバッチ回収処理が実行されることがある。
【０００３】
このバッチ回収処理では、例えば、まず、係員が、紙幣処理装置に対して、回収する紙幣の合計枚数を指定する。係員が回収枚数を指定（例えば合計５００枚）すると、紙幣処理装置は、まず、指定枚数の一部である所定枚数（例えば１００枚）を紙幣回収部に回収し、紙幣回収部内の紙幣を係員に取り出させる。この後、また、紙幣処理装置は、所定枚数分の紙幣を紙幣回収部に回収し、係員に取り出させる。以上のことを、指定枚数分の紙幣が係員によって取り出されるまで繰り返す。
【０００４】
このように、従来のバッチ回収処理時においては、紙幣回収部による集積可能枚数のうち所定枚数の紙幣を紙幣収納部から紙幣回収部に回収する度に係員が紙幣を取り出さなければならないため、係員は紙幣処理装置に付きっきりにならなければならず、大変面倒で、手間がかかっていた。また、このため、係員により管理できる紙幣処理装置の台数も限られていた。回収する紙幣の枚数が多い場合はこれらの問題はさらに大きかった。
【特許文献１】特開２００２−４２１９８号公報
【発明の開示】
【発明が解決しようとする課題】
【０００５】
本発明は、上記問題点に鑑みてなされたものであり、その目的は、紙幣のバッチ回収処理時における係員の負荷を軽減できる紙幣処理装置を提供することにある。
【課題を解決するための手段】
【０００６】
本発明の紙幣処理装置は、それぞれ所定の金種の紙幣を収納し、収納紙幣を搬出する複数のスタッカ部と、搬入された紙幣を順次集積して回収する紙幣回収部と、各前記スタッカ部から前記紙幣回収部へ紙幣を搬送する紙幣搬送路と、第１金種の紙幣を収納する前記スタッカ部から所定枚数の第１金種の紙幣を搬出して前記紙幣搬送路を搬送し前記紙幣回収部に回収する第１金種回収処理を複数回実行する制御を行う制御部であって、前記第１金種回収処理同士の間に、前記第１金種と異なる第２金種の紙幣を収納する前記スタッカ部から前記第２金種の紙幣を搬出して前記紙幣回収部に回収する第２金種回収処理を実行する制御を行う制御部と、を備える。
【０００７】
前記制御部は、前記スタッカ部の収納在高枚数の最も多い金種を前記第１金種として決定することを特徴とする。
【０００８】
前記制御部は、前記第１金種回収処理の実行回数と、前記第２金種の紙幣の収納枚数とに基づいて、前記第２金種回収処理において回収する前記第２金種の紙幣の枚数を決定することを特徴とする。
【０００９】
前記紙幣処理装置は、前記第１金種に関する情報と、前記紙幣回収部に回収された前記第１金種の紙幣の枚数及び前記第２金種回収処理の実行回数の少なくとも一方とを、表示、印字または外部に送信する出力部をさらに備える。
【発明の効果】
【００１０】
本発明によれば、第１金種の紙幣を所定枚数ごとに第２金種の紙幣で区分した状態で回収するようにしたので、係員は、回収した第１金種の紙幣を容易に仕分けでき、これにより、紙幣のバッチ回収処理時における係員の負荷を軽減できる。
【発明を実施するための最良の形態】
【００１１】
図１は、本発明の実施の形態としての紙幣処理装置の内部構成を概略的に示した図である。図２は、図１の紙幣処理装置の機能ブロック図である。
【００１２】
本紙紙幣処理装置は、例えば、競馬場に設置される当たり馬券払い戻し機、コンビニエンスストアに設置されるＡＴＭ装置、両替機、券売機などとして用いられる。
【００１３】
図１に示すように、この紙幣処理装置は、（１）入金処理、（２）出金処理、（３）補充処理、（４）一括回収処理及び（５）本実施の形態の大きな特徴の一つであるバッチ回収処理（手動バッチ回収処理、自動バッチ回収処理）を実行可能に構成される。
【００１４】
これらの各処理の制御は、基板２０に組み込まれた制御部１（図２参照）が行う。この基板２０には、各種データを記憶する記憶部２（図２参照）や、外部の装置（図示せず）との間で通信を行う通信部３（図２参照）も組み込まれる。この紙幣処理装置の前面（図１の入出金口１０側）には、利用者用の表示部４ａ及び入力部５ａ（図２参照）が設けら、一方、紙幣処理装置の背面には、係員用の表示部４ｂ及び入力部５ｂ（図２参照）が設けられる。
【００１５】
以下、各処理（（１）〜（５））について順次説明する。
【００１６】
（１）入金処理では、利用者は、入出金口１０から紙幣を投入し、投入された紙幣は、入金・出金保留部１１に保持される。この入金・出金保留部１１は、入金時には入出金口１０から投入された紙幣を取り込んで保持し、出金時には出金紙幣を一旦集積した後入出金口１０へ送り出し、利用者に取り出し可能状態に置く。
【００１７】
入金・出金保留部１１に保持された紙幣は、各機能部間で選択的に紙幣を搬送するための紙幣搬送路１２を経由して、紙幣の金種及び正損を識別する識別部１３に送られる。
【００１８】
識別部１３によって正常と認識された紙幣は、その金種に応じて、１万円、２千円及び５千円札を収納する第１のスタッカ部１４、あるいは千円札を収納する第２のスタッカ部１５に収納される。
【００１９】
識別部１３によって正常と認識されなかった紙幣（リジェクト紙幣）は、制御部１が識別部１３による識別結果を受けて、搬送路１２の動作を一旦停止させ、搬送路１２の動作方向を逆転させることにより、入金・出金保留部１１に戻される。
【００２０】
（２）出金処理では、利用者によって指定された金種・枚数の紙幣が、第１のスタッカ部１４及び第２のスタッカ部１５の少なくともいずれかから搬出されて識別部１３に送られる。識別部１３によって正常と認識された紙幣は、入金・出金保留部１１に搬送され、保留された後に、一括で入出金口１０へ送り出され、利用者に取り出し可能な状態に置かれる。正常と認識されなかったリジェクト紙幣は、出金・回収リジェクト部（第１のリジェクト部）１６に回収され、指定された金種・枚数に達するまで、代わりの紙幣が第１のスタッカ部１４あるいは第２のスタッカ部１５から再度繰り出される。第１のリジェクト部１６に回収された紙幣は、本装置の背面の扉を開けて、取り出し可能である。利用者が入出金口１０から取り忘れた紙幣は、第２のリジェクト部（補充リジェクト部及び取忘れ取り込み部）１７に回収される。第２のリジェクト部１７内に回収された紙幣も、本装置の背面の扉（図示せず）を開けて、取り出し可能である。
【００２１】
（３）補充処理は、装置の運用開始前に、装置に出金用の紙幣を用意するために行うものであり、具体的には、第１のスタッカ部１４あるいは第２のスタッカ部１５に紙幣を補充する。このために、係員は、まず、本装置の背面の扉を開けて、補充回収部１８内に、補充用の紙幣をセットする。補充された紙幣は識別部１３に搬送されてその金種及び正損を識別され、正常と認識されたものは、その金種に応じて第１のスタッカ部１４あるいは第２のスタッカ部１５に収納される。一方、識別部１３によって正常でないと認識されたリジェクト紙幣は、第２のリジェクト部（補充リジェクト部及び取忘れ取り込み部）１７に回収される。
【００２２】
（４）一括回収処理では、スタッカ部１４、１５内の紙幣を全て回収する。
【００２３】
まず、第１のスタッカ部１４から紙幣が全て搬出されて識別部１３に送られ、識別部１３によって正常と認識された２千円・５千円紙幣は、２千円・５千円回収部１９に送られる。一方、識別部１３によって正常と認識された１万円紙幣は、補充回収部１８に回収される。識別部１３によって正常と認識されなかったリジェクト紙幣は、出金・回収リジェクト部１６に回収される。
【００２４】
次に、第２のスタッカ部１５から紙幣が搬出されて識別部１３に送られ、識別部１３によって正常と認識された千円紙幣は、１万円紙幣と同様に補充回収部１８に回収され、識別部１３によって正常と認識されなかったリジェクト紙幣は、出金・回収リジェクト部１６に回収される。
【００２５】
（５）次に、バッチ回収処理について説明する。バッチ回収処理には、手動バッチ回収処理と自動バッチ回収処理とがある。いずれの処理においても、紙幣の回収先は、紙幣の種類に拘わらず補充回収部１８である。以下、各処理について順次説明する。
【００２６】
まず、手動バッチ回収処理について説明する。
【００２７】
図３は、手動バッチ回収処理のステップを示すフローチャートである。
【００２８】
まず、係員は、入力部５ｂ（図２参照）を用いて、回収紙幣の金種及び量を指定する（ステップＳ１）。係員は、事前に、入力部５ｂを用いて、第１スタッカ部１４及び第２スタッカ部１５内の在高を、表示部４ｂに表示して確認できる。
【００２９】
バッチ回収する量は、後述する所定枚数（回収単位枚数）の倍数とする。従って、所定枚数が１００枚であれば、バッチ回収する量は１００の倍数、即ち、１００、２００、３００・・・のいずれかである。具体的には、例えば「千円札：３００枚」などとして指定する。この他、「千円札：３回分」と指定してもよい。本例では、「千円札：３００枚」と指定したとする。後述する所定枚数（回収単位枚数）は本ステップで変更してもよい。
【００３０】
係員は、入力内容が確定したら、入力部５ｂを用いて、「手動バッチ回収開始指示」を入力する（ステップＳ１）。
【００３１】
係員によって開始指示が入力されると、制御部１（図２参照）は、千円紙幣を収納している第２のスタッカ部１５から紙幣を取り出し、識別部１３で正常な千円紙幣と識別された紙幣のみ、補充回収部１８へ搬送する。制御部１は、補充回収部１８に千円札が１００枚集積されるまで千円札を搬送する（ステップＳ２）。
【００３２】
図４（ａ）〜（ｅ）は、補充回収部１８に千円札が回収される状態を段階的に示す図である。現時点では、図４（ａ）に示すように、千円札が１００枚、重ねられた状態で回収されている。
【００３３】
次に、制御部１は、指定された枚数分の紙幣を全て回収したか否かを判断する（ステップＳ３）。現段階では、指定枚数３００枚の紙幣うち、１００枚しか回収されてないので、制御部１はＮｏに進む。
【００３４】
制御部１は、仕切り用の紙幣の金種及び枚数を決定する（ステップＳ４）。制御部１は、仕切り用の金種として、回収紙幣の金種と異なる金種を選択する。
【００３５】
金種の決定方法は、例えば、予め優先順位を設定し、優先順位の高い順に選択する。即ち、優先順位の一番高い金種紙幣の在高があれば、その金種を選択し、なければ次の優先順位の金種を選択する。この他、在高枚数の多い順に金種を選択したり、ステップＳ１で係員が金種を選択してもよい。本例では、仕切り用の金種として、千円札との札長差が大きい１万円を選択したとする。
【００３６】
一方、枚数の決定方法は、予めステップＳ１で設定しておいてもよいし、決定した金種の在高枚数に応じて決定してもよい。後者の場合において、例えば、在高枚数に余裕があれば、仕切り用の紙幣の枚数として、上記所定枚数と同一枚数を制御部１又は係員が選択してもよい。本例では、仕切り用の紙幣の枚数として、予め設定された枚数の１枚を選択したとする。なお、本例のように金種混合のスタッカが存在する場合は（スタッカ１４参照）、最初に繰り出された紙幣を仕切り用としてもよい。
【００３７】
以上から、制御部１は、第１のスタッカ部１４から補充回収部１８に、１万円札を１枚、搬送し、先に収納した千円札の束の上に積み重ねて収納する。識別部１３による識別結果が１万円でなければ出金・回収リジェクト部１６へ搬送し、１万円札が繰り出されるまで繰り出す。現時点における紙幣の回収状態を図４（ｂ）に示す。
【００３８】
次に、ステップＳ２に戻り、制御部１は、第２のスタッカ部１５から補充回収部１８に千円札を１００枚、再度搬送し、先に収納した１万円札の上に収納する。現時点における紙幣の回収状態を図４（ｃ）に示す。
【００３９】
制御部１は、指定枚数（３００枚）分の紙幣の回収をまだ終えていないので（ステップＳ３のＮｏ）、上述したようにして、再度ステップＳ４、Ｓ２を実施し、この結果、紙幣の回収状態は、図４（ｄ）（ｅ）と遷移する。
【００４０】
制御部１は、以上により、指定枚数分の千円札の回収を終えたので（ステップＳ３のＹｅｓ）、本処理を終了する。
【００４１】
係員は、図４（ｅ）に示す状態の紙幣を、補充回収部１８から取り出し、例えば、仕切り用の１万円札を目安に、千円札を１００枚ごとに仕分けする。
【００４２】
次に、自動バッチ回収処理について説明する。
【００４３】
図５は、自動バッチ回収処理のステップを示すフローチャートである。
【００４４】
まず、係員は、入力部５ｂ（図２参照）を用いて、「自動バッチ回収開始指示」を入力する（ステップＳ１１）
係員によって開始指示が入力されると、制御部１は、回収する紙幣の金種（第１金種）と、仕切り用の紙幣の金種（第２の金種）とを決定する（ステップＳ１１）。ここでは、制御部１は、各種紙幣の内、最も在高が多い紙幣を回収紙幣として選択し、仕切り用の紙幣として、次に在高が多い紙幣を選択するものとする（ステップＳ１１）。尚、係員が第１及び第２金種を設定しても良いし、本例のように１つのスタッカに複数金種が収納されている場合は（スタッカ１４参照）第２金種を複数設定してもよい。
【００４５】
制御部１は、第１スタッカ部１４あるいは第２スタッカ部１５から紙幣を繰り出し、識別部１３によって第１金種と識別された紙幣を、予め設定された所定枚数（例えば１００枚）分、補充回収部１８に回収する（ステップＳ１２）。
【００４６】
制御部１は、第１金種の紙幣の在高が「終了枚数」以下になったか否かを判断する（ステップＳ１３）。
【００４７】
終了枚数は、例えば、「所定枚数−１」などとする。残りの紙幣中にリジェクト紙幣が含まれる場合を考慮して終了枚数を「所定枚数＋５」とするなど、各種事情を考慮して終了枚数を決定してもよい。
【００４８】
制御部１は、第１金種の在高が終了枚数以下になった場合は（ステップＳ１３のＹｅｓ）、本処理を終了する。
【００４９】
一方、制御部１は、第１金種の在高が終了枚数以下でない場合は（ステップＳ１３のＮｏ）、仕切りに用いる第２金種の紙幣の枚数を決定する。即ち、何枚の紙幣によって第１金種の紙幣束同士を区分するかを決定する（ステップＳ１４）。
【００５０】
ここでは、制御部１は、仕切り用の紙幣の枚数として、上述の所定枚数と同一枚数を選択可能か否かを判断する（ステップＳ１４）。具体的には、制御部１は、第１金種の在高に基づき、全部で何回区分する必要があるかを算出し、「算出区分回数×所定枚数」分の第２金種の紙幣が存在するか否かを判断する。第２金種の紙幣中にリジェクト紙幣が含まれる場合を考慮して、例えば、「算出区分回数×（所定枚数＋５）」分の紙幣が存在するか否かを基準に判断してもよい。
【００５１】
制御部１は、仕切り用の紙幣の枚数として所定枚数を選択可能であると判断した場合は（ステップＳ１４のＹｅｓ）、第１のスタッカ部１４あるいは第２のスタッカ部１５から補充回収部１８に、所定枚数分の第２金種と識別された紙幣を搬送して収納する（ステップＳ１５）。
【００５２】
一方、制御部１は、仕切り用の紙幣の枚数として所定枚数を選択可能でないと判断した場合は（ステップＳ１４のＮｏ）、選択可能な枚数（所定枚数未満の枚数）を算出し、あるいは、予め設定した枚数（例えば１枚）を選択し、その枚数分の第２金種と識別された紙幣を、第１のスタッカ部１４あるいは第２のスタッカ部１５から補充回収部１８に搬送して収納する（ステップＳ１６）。
【００５３】
この後、制御部１は、第１金種の在高が終了枚数以下になる（ステップＳ１３のＹｅｓ）まで、以上のステップＳ１２〜Ｓ１６を繰り返す。但し、仕切り用の紙幣の枚数は既に確定しているのでステップＳ１４は省略してもよい。あるいは、毎回、ステップＳ１４において残りの第１金種紙幣の回収回数を考慮して、例えば回収紙幣枚数を所定枚数又は１枚にするか等を判断しても良い。
【００５４】
ここで、参考のため、仕切り用の紙幣の枚数として所定枚数を選択した場合（ステップＳ１４のＹｅｓ）における紙幣の回収状態の一例を図６に示す。
【００５５】
図７は、補充回収部１８の内部構成を示す縦断面図である。
【００５６】
以下、図７を用いて、紙幣回収時における補充回収部１８の動作について簡単に説明する。
【００５７】
補充回収部１８の後方上に配置されたローラ３１が図中矢印方向に駆動されると、ローラ３１に巻回した搬送ベルト３２が回転させられ、補充回収部１８の前方上においてこの搬送ベルト３２が巻回されたクラッチ３３が、ロック状態（図７参照）とされる。
【００５８】
クラッチ３３がロック状態にされると、上記駆動力が、搬送ベルト３２を介して、駆動集積軸３４に伝わって、駆動集積軸３４を軸とするローラ３５が回転させられる。
【００５９】
ローラ３５が回転すると、このローラ３５に巻回された駆動ベルト３６が回転させられ、これにより、補充回収部１８の前方下においてこの駆動ベルト３６が巻回したローラ３７が回転させられる。
【００６０】
ローラ３７が回転させられると、図示しない機構を介してこのローラ３７に連結されたローラ３８が回転させられ、このローラ３８の回転により、このローラ３８に巻回された駆動ベルト３９を介して、札落としローラ４０が図中矢印方向に回転させられる。
【００６１】
この状態において、補充回収部１８の前方から、図中矢印方向に紙幣が搬入されると、この紙幣は、札落としローラ４０、及び補充回収部１８内のフレームに取り付けられた案内板４１ａ、４１ｂによって図中矢印に示すように後方に運ばれ、紙幣が収納空間に入りきったところで紙幣の後端が札落としローラ４０の羽根によってたたかれ、紙幣の後端が壁４４にそろえられた状態で紙幣保持板４２上に順次集積される。千円札束が紙幣保持板４２上に集積された状態を、紙幣保持板４２（４２（１）、４２（２））の平面方向から見て、図８（ａ）に示す。
【００６２】
紙幣保持板４２上に紙幣が集積されると、この紙幣保持板４２は、紙幣を搭載した状態でガイド４９（４９（１）、４９（２））に沿って上方へ移動しながら、水平から垂直状態になる。このときの紙幣保持板４２の動きを、片側の４２（２）に着目して、図８（ｂ）に、斜視的に示す。これにより、紙幣保持板４２上の紙幣は収納空間４３内に落ち、後端が壁４４にそって揃えられた状態で、紙幣保持板４２の下方に、集積される。
【００６３】
この後、紙幣保持板４２は、収納空間４３内に集積された紙幣を上方から固定する位置まで底面に水平状態を保って移動する。
【００６４】
図７には、以上の処理を４回繰り返した結果、所定枚数からなる千円札束４５ａ、４５ｂと、所定枚数からなる一万円札束４６ａ、４６ｂが交互に集積された状態が示される。
【００６５】
以上のように、本実施の形態によれば、手動バッチ回収処理及び自動バッチ回収処理時において、第１金種の紙幣を所定枚数ごとに第２金種の紙幣で区分した状態で回収するようにしたので、係員は、回収した第１金種の紙幣を、容易に計数及び仕分けできる。従って、係員は、手動バッチ回収処理及び自動バッチ回収処理時に、紙幣処理装置に付きっきりになる必要はなく、一人で多くの台数の紙幣処理装置を担当できる。
【００６６】
また、本実施の形態によれば、第１金種の紙幣束同士を区分する第２金種の枚数を一定枚数としたので、第１金種のみならず、第２金種の紙幣の計数及び仕分けも容易になる。
【００６７】
また、本実施の形態によれば、第１金種の紙幣を所定枚数ごとに第２金種の紙幣で区分して回収するようにしたので、つまり、第１金種の紙幣を所定枚数ごとに結束帯によって束化する必要はないので、低コストであり、また、環境にも好適である。
【図面の簡単な説明】
【００６８】
【図１】本発明の実施の形態に従った紙幣処理装置の構成を概略的に示す図である。
【図２】紙幣処理装置の機能ブロック図である。
【図３】手動バッチ回収処理のステップを示すフローチャートである。
【図４】第１金種の紙幣束と、仕切り用の第２金種の紙幣とが交互に回収される状態を示す図である。
【図５】自動バッチ回収処理のステップを示すフローチャートである。
【図６】第１金種の紙幣束と、仕切り用の第２金種の紙幣束とが交互に回収された状態を示す図である。
【図７】補充回収部の内部構成を示す縦断面図である。
【図８】紙幣保持板の動きを説明する図である。
【符号の説明】
【００６９】
１  制御部
２  記憶部
３  通信部
４ａ、４ｂ  表示部
５ａ、５ｂ  入力部
１０  入出金口
１１  入金・出金保留部
１２  紙幣搬送路
１３  識別部
１４  第１のスタッカ部
１５  第２のスタッカ部
１６  出金回収リジェクト部（第１のリジェクト部）
１７  補充リジェクト部及び取り忘れリジェクト部（第２のリジェクト部）
１８  補充回収部
１９  ２千円・５千円回収部
２０  基板
【図１】
2005242695.tif 000003
【図２】
2005242695.tif 000004
【図３】
2005242695.tif 000005
【図４】
2005242695.tif 000006
【図５】
2005242695.tif 000007
【図６】
2005242695.tif 000008
【図７】
2005242695.tif 000009
【図８】
2005242695.tif 000010